(57)【要約】      （修正有）【課題】従来のオゾン発生装置では、オゾナイザ全体をウォータジャケットで囲んで水冷によりオゾナイザを冷却しているため、オゾナイザ周辺が大型化する。オゾナイザ内を流れる気体の流量を増加させればオゾナイザを空冷できるが、従来の構造では、気体が流れる隙間を広げるとバリヤ放電が安定しなくなり、オゾンの生成に支障をきたす。そこで、水冷機構を採用することなく、オゾナイザ部分の冷却効率を向上させることのできるオゾン発生装置を提供する。【解決手段】オゾナイザ内の高圧電極を保持するためのコア部材３１の表面に、上記気体の流れ方向に沿って連続する溝３３を形成し、上記オゾナイザの内部における上記気体の通路面積を増加させ、上記オゾナイザの冷却効率を向上させる。【選択図】図２
2020083708.tif 000002
【特許請求の範囲】
【請求項１】
筒状の誘電体の外側を接地電極で囲繞すると共に、コイル状の高圧電極が巻回されたコア部材を、この高圧電極が誘電体の内周面に接触しないように誘電体内に挿入されたオゾナイザを有し、誘電体の一方の開口から少なくとも酸素を含んだ気体を誘電体の内周面とコア部材との間の空間に流し、その空間を流れる間に酸素をオゾンに変換して誘電体の他方の開口から排気するオゾン発生装置において、上記コア部材の表面に、上記気体の流れ方向に沿って連続する溝を形成し、上記誘電体の内部における上記気体の通路面積を増加させ、上記オゾナイザの冷却効率を向上させたことを特徴とするオゾン発生装置。
【請求項２】
上記コア部材を、複数本の長尺部材を束ねて形成し、各長尺部材の相互間に形成されるくぼみを上記溝とすることを特徴とする請求項１に記載のオゾン発生装置。
【請求項３】
上記気体を上記空間内に流す直前に断熱膨張させて気体の温度を低下させる断熱膨張部を設けたことを特徴とする請求項１または請求項２に記載のオゾン発生装置。
【発明の詳細な説明】
【技術分野】
【０００１】
本発明は、筒状の誘電体の外側に接地電極を有し、内側にコイル状の高圧電極を有するオゾナイザを備えたオゾン発生装置に関する。
【背景技術】
【０００２】
オゾンを発生させるオゾン発生装置には、例えばバリア放電（無声放電）を発生させるオゾナイザ内に酸素もしくは酸素を含んだ空気を流すことによって、酸素からオゾンを生成するものが知られている。このオゾナイザは、例えば筒状の誘電体の外側に接地電極を設け、誘電体の内側には、誘電体の内周面に接触しないようにコイル状の高圧電極を設けている。なお、このコイル状の高圧電極を保持するため、棒状のコア部材を設け、高圧電極をこのコア部材に巻回し、高圧電極をコア部材に巻回された状態で誘電体内に挿入している。
【０００３】
そして、酸素もしくは空気は誘電体の内周面とコア部材との間に生ずる隙間を流れ、オゾナイザ内のその隙間を流れている間に酸素からオゾンが生成されるように構成されている。ただし、その隙間内ではバリヤ放電が発生しているのでオゾナイザ全体が高温になる。そこで、オゾナイザ全体をウォータジャケットで覆い、そのウォータジャケット内に冷却水を循環させることによってオゾナイザ全体を水冷しているものが知られている（例えば、特許文献１参照）。
【先行技術文献】
【特許文献】
【０００４】
【特許文献１】特開平１０−５３４０４号公報（図１）
【発明の概要】
【発明が解決しようとする課題】
【０００５】
上記従来のオゾン発生装置では、生成したオゾンを工業的に使用するため、大量のオゾンを生成する必要がある。そのため、オゾン発生装置、特にオゾナイザ部分を大型化しなければならず、オゾナイザ部分での発熱量も大きくなる。その結果、効率的にオゾナイザ部分を冷却する必要が生ずるので、オゾナイザ全体をウォータジャケットで囲んで水冷によりオゾナイザを冷却している。
【０００６】
ところが、生成したオゾンを家庭レベルで使用する場合には、それほど多量のオゾンを必要としない。そのため、オゾナイザを小型化することが可能である。この小型化されたオゾナイザに上記水冷機構を適用すると、せっかく小型化したオゾナイザが水冷機構のため大型化するという問題が発生する。
【０００７】
また、上記コア部材を細くして誘電体とコア部材との間の隙間を広げることによってその隙間を流れる気体の流量を増加させ、その気体による冷却効果を高めることが考えられるが、このように隙間を広げると、バリヤ放電が安定せず、オゾンの発生に支障が生ずる。
【０００８】
そこで本発明は、上記の問題点に鑑み、水冷機構を採用することなく、かつ、上記コア部材を細くしなくてもオゾナイザ部分の冷却効率を向上させることのできるオゾン発生装置を提供することを課題とする。
【課題を解決するための手段】
【０００９】
上記課題を解決するために本発明によるオゾン発生装置は、筒状の誘電体の外側を接地電極で囲繞すると共に、コイル状の高圧電極が巻回されたコア部材を、この高圧電極が誘電体の内周面に接触しないように誘電体内に挿入されたオゾナイザを有し、誘電体の一方の開口から少なくとも酸素を含んだ気体を誘電体の内周面とコア部材との間の空間に流し、その空間を流れる間に酸素をオゾンに変換して誘電体の他方の開口から排気するオゾン発生装置において、上記コア部材の表面に、上記気体の流れ方向に沿って連続する溝を形成し、上記誘電体の内部における上記気体の通路面積を増加させ、上記オゾナイザの冷却効率を向上させたことを特徴とする。
【００１０】
水冷ではなくオゾナイザ内を流れる気体によってオゾナイザを冷却する。ただし、誘電体の内周面と高圧電極との間の距離を広げるとバリヤ放電が不安定になる。そこで、上述のようにコア部材の表面に溝を設けることによって、気体の通路面積を増加させた。
【００１１】
なお、上記コア部材の表面に溝を形成するにあたり、上記コア部材を、複数本の長尺部材を束ねて形成し、各長尺部材の相互間に形成されるくぼみを上記溝としてもよい。
【００１２】
また、オゾナイザをさらに冷却するため、上記気体を上記空間内に流す直前に断熱膨張させて気体の温度を低下させる断熱膨張部を設けてもよい。
【発明の効果】
【００１３】
以上の説明から明らかなように、本発明は、オゾナイザを冷却するために水冷機構を必要としないため、オゾナイザ周囲の構造が大型化することを防止できる。また、オゾナイザ内を流れる気体の流量を増加させることによってオゾナイザを冷却するが、誘電体の内周面と高圧電極との距離を広げる必要がないので、バリヤ放電を安定して発生させることができる。
【図面の簡単な説明】
【００１４】
【図１】本発明の一実施の形態の構成を示す図
【図２】オゾナイザの構造を示す断面図
【図３】コア部材の他の形態を示す断面図
【図４】誘電体の断面が円形ではない形態の断面図
【図５】オゾナイザを空冷する際の構造を示す図
【発明を実施するための形態】
【００１５】
図１および図２を参照して、１は本発明によるオゾン発生装置の主要部であるオゾナイザである。このオゾナイザ１は、ガラス製の円筒である誘電体２の外周面に接地電極２１を被着している。また、この誘電体２の内部にはガラス棒からなるコア部材３１とそのコア部材３１の外周面に巻回した高圧電極３が設けられている。
【００１６】
この高圧電極３には高周波電源３２が発生する高電圧かつ高周波の電力が供給される。４１は空気ポンプであり、この圧縮ポンプ４１が圧縮した空気を送風管４２を介してノズル４３に供給している。このノズル４３は先細末広形状であり、送風管４２から送られてきた空気がこのノズル４３内で断熱膨張して低温の空気となってオゾナイザ１に供給される。そして、その空気の中の酸素がオゾナイザ１を通過する間にオゾンになり、オゾンを含んだ空気が排気部１２から排出される。
【００１７】
図２を参照して、上記コア部材３１の表面には、空気の流れ方向に沿って４本の溝部３３が形成されている。圧縮ポンプ４１から供給される空気は、誘電体２の内周面とコア部材３１との間の隙間１１を通って流れるが、この隙間１１は可及的に狭い方がバリヤ放電を安定的に保持するためには望ましい。しかし、この隙間１１が狭いと空気が流れにくく、その結果、オゾナイザ１の温度が上昇する。本発明では、上述のようにコア部材３１の表面に溝部３３が設けられているので、空気はその溝部３３内も流れ、オゾナイザ１を通過する空気流量が増加する。これにより、オゾナイザ１に対する冷却効率が上昇し、その結果オゾナイザ１を空気によって冷却することができる。
【００１８】
ところで、これら４本の溝部３３は円柱状に形成されたガラス棒の表面を機械的に削って形成してもよいが、ガラス棒を引き抜く際に溝部３３を形成してもよく、あるいはガラスの表面に等間隔に塗料などを印刷して、印刷されていない部分を溝部３３としてもよい。
【００１９】
あるいは、図３に示すように、複数本のガラス棒５を接着して、これらガラス棒５の相互間に形成されるくぼみを溝部３３としてもよい。なおこの際に、溝部３３が空気の流れに対して平行ではなく、ねじれていても、空気の流れ方向に対して連続して形成されていれば問題はない。
【００２０】
また、上記の説明では誘電体２を円筒形状としたが、これ以外の形状でも構わない。例えば、図４に示すように、２種類のガラス板６ａ，６ｂを２枚ずつ用いて断面が長方形の筒状に形成して、これを誘電体としてもよく、その場合には、コア部材を、同じく２種類のガラス板３ａ，３ｂで組み上げ、溝部３３を形成するようにしてもよい。
【００２１】
上記の説明で、コア部材に溝部３３を形成してオゾナイザ１の冷却効率の向上を図ったが、更に、図５に示すように、圧縮ポンプ４１に接続されている送風管４２に分岐管４４を設け、この分岐管４４に分岐される圧縮空気をノズル４５に導いて、ノズル４５から噴出する空気によってオゾナイザ１の外周面を空冷するようにしてもよい。その際には、オゾナイザ１の外周を囲繞している接地電極２１にフィン２１ａを設けるとなおよい。
【００２２】
なお、本発明は上記した形態に限定されるものではなく、本発明の要旨を逸脱しない範囲内において種々の変更を加えてもかまわない。
【符号の説明】
【００２３】
１ オゾナイザ
２ 誘電体
３ 高圧電極
１１ 隙間
２１ 接地電極
３１ コア部材
３３ 溝部
４１ 圧縮ポンプ
【図１】
2020083708.tif 000003
【図２】
2020083708.tif 000004
【図３】
2020083708.tif 000005
【図４】
2020083708.tif 000006
【図５】
2020083708.tif 000007